(57)【要約】【課題】遊技者の注目を特別入賞装置に集めて、大当り状態で遊技者に大きな達成感を与えることができる遊技機の可動演出装置を提供する。【解決手段】遊技領域Ｅに設けられて、所定の演出状態で第１位置から第２位置へ移動させられる演出部材３１Ａ，３１Ｂと、演出部材３１Ａ，３１Ｂが第１位置にあるときにその背後に隠れて位置し、演出部材３１Ａ，３１Ｂの第２位置への移動により露出する特別入賞装置６とを備える。【選択図】        図２
2011156144.tif 000002
【特許請求の範囲】
【請求項１】
遊技領域に設けられて、所定の演出状態で第１位置から第２位置へ移動させられる演出部材と、前記演出部材が前記第１位置にあるときにその背後に位置し、前記演出部材の前記第２位置への移動により露出する特別入賞装置とを備える遊技機の可動演出装置。
【請求項２】
前記演出部材は前記第１位置にて、図柄変動を開始させるための始動入賞装置へ遊技球を案内する案内路の一部を構成している請求項１に記載の遊技機の可動演出装置。
【請求項３】
前記演出部材は前記第２位置にて、画像表示装置の少なくとも一部を覆っている請求項１に記載の遊技機の可動演出装置。
【発明の詳細な説明】
【技術分野】
【０００１】
本発明は遊技機の可動演出装置に関し、特に、遊技者の注目を特別入賞装置に集めることが可能な可動演出装置に関する。
【背景技術】
【０００２】
特別入賞装置は多くの場合開閉式の大入賞口であり、大入賞口が開放した大当り状態は、大量の入賞球が生じることが期待できる、遊技者にとって達成感が得られる状態である。
【０００３】
なお、特許文献１には、チューリップ型の特別入賞口を左右へスライドする蓋体で覆っておき、大当りの際に蓋体を左右へ開いて特別入賞口が露出するようにした遊技機が示されている。
【先行技術文献】
【特許文献】
【０００４】
【特許文献１】特開２００９−５６１５５
【発明の概要】
【発明が解決しようとする課題】
【０００５】
しかし、特別入賞口を覆った蓋体が開くだけでは遊技者の注目度は少ない。そこで、遊技者の注目を特別入賞装置に集め、大当り状態で遊技者に大きな達成感を与えることが可能な遊技機が要請されている。
【０００６】
そこで、本発明はこのような課題を解決するもので、遊技者の注目を特別入賞装置に集めて、大当り状態で遊技者に大きな達成感を与えることができる遊技機の可動演出装置を提供することを目的とする。
【課題を解決するための手段】
【０００７】
上記目的を達成するために、本第１発明では、遊技領域（Ｅ）に設けられて、所定の演出状態で第１位置から第２位置へ移動させられる演出部材（３１Ａ，３１Ｂ，３２）と、演出部材（３１Ａ，３１Ｂ，３２）が第１位置にあるときにその背後に位置し、演出部材（３１Ａ，３１Ｂ，３２）の第２位置への移動により露出する特別入賞装置（６）とを備える。
【０００８】
本第１発明においては、演出部材の移動によってその背後にあった特別入賞装置が露出するようになっている。演出部材はもともと遊技者に注目されているものであり、この演出部材が移動して特別入賞装置が現れるようにしたから、遊技者の注目を自然な目線で特別入賞装置に効果的に集めることができ、これによって遊技者の達成感を増大させることが可能である。また、通常遊技時には特別入賞装置が演出部材の背後にあるから、特別入賞装置を強制開放するような不正行為を未然に防止することができる。
【０００９】
本第２発明では、上記演出部材（３１Ａ，３１Ｂ）は第１位置にて、図柄変動を開始させるための始動入賞装置（５）へ遊技球を案内する案内路（４）の一部を構成している。
【００１０】
本第２発明においては、常に遊技者が注目している、始動入賞装置へ遊技球を案内するための案内路の一部を演出部材で構成して、当該演出部材が移動して特別入賞装置が現れるようにしたから、遊技者の注目を自然な目線で特別入賞装置にさらに効果的に集めて遊技者の達成感を増大させることができる。
【００１１】
本第３発明では、上記演出部材（３２）は第２位置にて、画像表示装置（２）の少なくとも一部を覆っている。
【００１２】
本第３発明においては、演出部材を、遊技者が常に注目している画像表示装置上へ移動させることによって特別入賞装置が露出するようにしたから、遊技者の注目を自然な目線で特別入賞装置にさらに効果的に集めて遊技者の達成感を増大させることができる。
【００１３】
上記カッコ内の符号は、後述する実施形態に記載の具体的手段との対応関係を示すものである。
【発明の効果】
【００１４】
以上のように、本発明の遊技機の可動演出装置によれば、遊技者の注目を特別入賞装置に集めて、大当り状態で遊技者に大きな達成感を与えることができる。
【図面の簡単な説明】
【００１５】
【図１】本発明の第１実施形態における可動演出装置を備えたパチンコ遊技機の正面図である。
【図２】可動演出装置を付設した画像表示装置の拡大正面図である。
【図３】図２のIII−III線に沿った断面図である。
【図４】本発明の第２実施形態における可動演出装置を付設した画像表示装置の拡大正面図である。
【図５】図４のV−V線に沿った断面図である。
【図６】本発明の第３実施形態における可動演出装置を設けた遊技盤遊技領域の部分概略正面図である。
【図７】本発明の第３実施形態における可動演出装置の作動状態を示すその拡大正面図である。
【図８】本発明の第４実施形態における可動演出装置を設けた遊技盤遊技領域の部分概略正面図である。
【発明を実施するための形態】
【００１６】
（第１実施形態）  
図１には本発明の可動演出装置を設けたパチンコ遊技機の正面図を示す。図１において、図略のガラス枠１のガラス窓１１で覆われた遊技盤の遊技領域Ｅのやや上方中央に画像表示装置２が設けられており、可動演出装置３は画像表示装置２の下方に位置する案内路としてのステージ４の一部を構成している。なお、図１において、遊技領域Ｅ内の入賞装置は始動入賞装置５を除いて図示を省略してある。
【００１７】
図２には可動演出装置３を付設した画像表示装置２の拡大正面図を示す。図２において、画像表示装置２は矩形の液晶表示部２１を備えており、液晶表示部２１はその両側と上方が枠飾り２２，２３，２４で囲まれている。ステージ４は液晶表示部２１の下辺に接してこれを囲んで設けられている。ステージ４には図３に示すように、上下二段の棚面４ａ，４ｂが形成されている。上段棚面４ａはやや前方（図３の左方）へ傾斜した状態で左右方向（図２）へ一定幅で延びており、左右方向の中央部が滑らかに上方へ隆起するとともに、左右端部は滑らかに上方へ湾曲している。
【００１８】
上段棚面４ａを形成したステージ４の段付き部４１の前面中央には、前方（図３の左方）へ開放する球排出口４２が開口しており、球排出口４２はステージ４内に形成された流路４３（図３）を経てその直上の棚面の隆起した頂点に開口する球進入口４４に連通している。上記棚面４ａの左端は左側枠飾り２２の内部に形成された、いわゆるワープ流路２２１の出口２２２に連通している。ワープ流路２２１は左側枠飾り２２内を略Ｓ字状に上方へ延び、その入口２２３は枠飾り２２の外側面に開口している。
【００１９】
ステージ４の下段棚面４ｂは、可動演出装置３を構成する左右の演出部材３１Ａ，３１Ｂの上壁面に形成されている。すなわち、各演出部材３１Ａ，３１Ｂは後方（図３の右方）へ延びる上壁３１１と上下方向へ延びる前壁３１２よりなる逆Ｌ字断面に成形された下方へやや湾曲する横長板体で、これら演出部材３１Ａ，３１Ｂの左右方向の内端（すなわち左側演出部材３１Ａの右端と右側演出部材３１Ｂの左端）が当接して、当接部を最低位置にし全体が下方へ湾曲する上記棚面４ｂが形成されている。左右の演出部材３１Ａ，３１Ｂの上壁３１１は内端が凹陥して両者が当接した第１位置にあるときここに前方へ向く案内溝３１３が形成され、またこれら演出部材３１Ａ，３１Ｂの上壁３１１はそれぞれ左右方向の中間部が下方へ湾曲凹陥している。通常時は演出部材３１Ａ，３１Ｂは第１位置にあって、両者の当接部により案内溝３１３を形成した状態を維持する。
【００２０】
上記各演出部材３１Ａ，３１Ｂは図略の駆動機構によって、図２の実線で示す互いに当接した第１位置と、鎖線で示す互いに離間した第２位置との間で移動可能となっている。ステージ４の前壁下端部の中央には、横長の扉開閉式の特別入賞装置６が設けられており、演出部材３１Ａ，３１Ｂが第１位置にある状態では特別入賞装置６は演出部材３１Ａ，３１Ｂの背後に隠れて位置しており、チューリップ式の始動入賞装置５は垂直方向へ並ぶ球進入口４４、球排出口４２、案内溝３１３と同一線上の、左右の演出部材３１Ａ，３１Ｂの当接部の下方に位置している。
【００２１】
このような構造の遊技機において、遊技領域Ｅへ打ち出された遊技球が入口２２３からワープ流路２２１内へ進入すると、これはワープ流路２２１の出口２２２から上段棚面４ａ上へ送出される。遊技球は棚面４ａの頂点を越えられないものは当該棚面４ａの左半部上で、頂点を越えたものは棚面４ａの右半部上で左右に揺動しつつ前方へ転動して下段棚面４ｂ上へ落下する。そして下段棚面４ｂを形成する左右の演出部材３１Ａ，３１Ｂの上壁３１１左右に揺動しつつ前方へ転動して下方の遊技領域へ落下する。
【００２２】
上段棚面４ａ上へ送出された遊技球が棚面４ａの頂点に至って球進入口４４内へ進入し、内部流路４３を経て球排出口４２からその直下の下段棚面４ｂ中央に落下すると（図３（１））、この遊技球は案内溝３１３に案内されて下方の始動入賞口５へ進入（入賞）しやすくなる。これにより液晶表示部２１で図柄変動が開始され、大当り状態になると、可動演出装置３の演出部材３１Ａ，３１Ｂが互いに離間する第２位置の方向へ移動させられる。これに伴い、演出部材３１Ａ，３１Ｂの背後に隠れていた特別入賞装置６が前方から視認できるように露出させられるとともに（図３（２））、特別入賞装置６の横長の扉６１が公知の構造によって前方へ傾倒開放させられて、特別入賞装置６内への遊技球Ｂ（図３（２））の容易な入賞が可能となる大当り状態が出現する。なお、第２位置に至った下段棚面４ｂは、特別入賞装置６の左右上方へ退避した状態で上方から落下する遊技球を受け止め、特別入賞装置６へと誘導する誘導部として機能させても良い。
【００２３】
このように本実施形態においては、可動演出装置３を、遊技者が常に注目している画像表示装置２に設けられた、始動入賞装置５への案内路としてのステージ４の一部として構成して、大当り状態では上記可動演出装置３の演出部材３１Ａ，３１Ｂの移動に伴って特別入賞装置６が現れるようにしたから、遊技者の注目を自然な目線で特別入賞装置６に効果的に集めて遊技者の達成感を増大させることができる。
【００２４】
また、本実施形態では、通常遊技時には特別入賞装置６が演出部材３１Ａ，３１Ｂの背後に位置しているから、特別入賞装置６を強制開放するような不正行為を未然に防止することができる。さらには、特別入賞装置６をステージ４に一体に設けたことにより、遊技領域Ｅの他の個所に設置場所を確保する必要がないから、盤面構成の自由度を確保することができる。また、遊技中の遊技球が集まるステージ４に特別入賞装置６を配置したので、開放した特別入賞装置６内へ遊技球を比較的スムーズに入賞させることができる。さらに、従来、始動入賞装置の下方に位置していた特別入賞装置を始動入賞装置の上方に配したことで、特別入賞装置への入賞をより効率的でスムーズに行なうことができる。
【００２５】
（第２実施形態）
図４に本発明の第２実施形態を示す。本実施形態では、可動演出装置３は画像表示装置２の液晶表示部２１の横幅よりやや小さい幅の屋根形の演出部材３２を備えている。当該演出部材３２はその上面が、中央を頂点として左右方向へ下り傾斜する傾斜面となっている。演出部材３２は透光性の材料よりなり、その断面形状は後方（図５の右方）へ向くＵ字形となって、内部に発光器３２１が設置されている。演出部材３２のＵ字形の側壁高さは、左傾斜面３２２（図４）上を遊技球が転動できる程度の高さにしてある。
【００２６】
液晶表示部２１の上辺にはこれに沿って上記演出部材３２が位置するとともに、液晶表示部２１の左右および下方は一体の枠飾り２５で囲まれている。枠飾り２５は右側上端部２５１が上記演出部材３２の右半分の上方を囲むように延出している。枠飾り２５の左側部２５２内にはワープ流路２６が形成されており、ワープ流路２６は途中で分岐して一方の入口２６１が左側部２５２の外側面に開口するとともに、他方の入口２６２が上記入口２６１よりも高い位置で、液晶表示部２１表面よりも前方へ突出した左側部２５２の内側面に開口している。
【００２７】
枠飾り２５の下辺部２５３はステージになっており、ここには、左右方向の中央が滑らかに上方へ隆起するとともに左右端部が滑らかに上方へ湾曲する上記第１実施形態の上段棚面４ａと同様の棚面２５３ａが形成されている。そして棚面２５３ａの左端が上記ワープ流路２６の下端出口２６３に連通している。上面に上記棚面２５３ａを形成した下辺部２５３の前面中央には、前方へ開放する球排出口２７が開口しており、球排出口２７は下辺部２５３内に形成された流路を経てその直上の棚面２５３ａの隆起した頂点に開口する球進入口２８に連通している。
【００２８】
上記演出部材３２は図略の駆動機構によって、図４の実線で示す液晶表示部２１の上辺に沿った第１位置と、鎖線で示すこれより下方の、液晶表示部２１の上半部を覆う第２位置との間で移動可能となっている。遊技盤１１には、横長の扉開閉式の特別入賞装置６が設けられており、演出部材３２が第１位置にある状態では特別入賞装置６は演出部材３２の背後に隠れて位置している（図５（１））。チューリップ式の始動入賞装置５は、垂直方向へ並ぶ球進入口２８および球排出口２７と同一線上の、枠飾り下辺部２５３の下方に位置している。
【００２９】
このような構造の遊技機において、遊技領域Ｅへ打ち出された遊技球が入口２６１からワープ流路２６内へ進入すると、これはワープ流路２６の出口２６３から棚面２５３ａ上へ送出される。遊技球は棚面２５３ａの頂点を越えられないものは当該棚面２５３ａの左半部上で、頂点を越えたものは棚面２５３ａの右半部上で左右に揺動しつつ前方へ転動して下方の遊技領域Ｅへ落下する。
【００３０】
棚面２５３ａ上へ送出された遊技球が当該棚面２５３ａの頂点に至って球進入口２８内へ進入し、内部流路を経て球排出口２７からその直下の始動入賞口５へ落下進入すると、液晶表示部２１で図柄変動が開始される。大当り状態になると、第１位置にある可動演出装置３の演出部材３２は内部の発光器３２１が適宜点滅しつつ、第２位置である下方の液晶表示部２１上へ移動させられる。これにより、演出部材３２の背後に隠れていた特別入賞装置６が前方から視認できるように露出させられるとともに（図５（２））、特別入賞装置６の横長の扉６１が公知の構造によって前方へ傾倒開放させられ、特別入賞装置６への遊技球Ｂ（図５（２））の容易な進入が可能となる大当り状態が出現する。なお、この状態で演出部材３２の傾斜面３２２上に至った遊技球はこれに沿って転動して入口２６２からワープ流路２６内へ進入する。
【００３１】
本実施形態においては、可動演出装置３の演出部材３２を、遊技者が常に注目している画像表示装置２の液晶表示部２１上へ大当り状態で移動させるようにし、この移動に伴って特別入賞装置６が現れるようにしたから、遊技者の注目を自然な目線で特別入賞装置に効果的に集めて遊技者の達成感を増大させることができる。また、不正行為の未然防止および盤面構成の自由度確保について第１実施形態と同様の効果がある。
【００３２】
（第３実施形態）
図６に本発明の第３実施形態を示す。本実施形態では、遊技盤の遊技領域Ｅの下端部に設けられたアウト口Ｅ１に近い上方位置に、上記各実施形態で説明したのと同様の扉開閉式の特別入賞装置６が設けられている。そして、特別入賞装置６を覆うように可動演出装置３が設けられている。可動演出装置３は左右に位置する板状の外側演出部材３３Ａ，３３Ｂを備えており、これら外側演出部材３３Ａ、３３Ｂの背後にはさらに板状の内側演出部材３４Ａ，３４Ｂ（図７参照）が設置されている。上記各演出部材３３Ａ，３３Ｂ，３４Ａ，３４Ｂは図６および図７（１）に示す互いに当接した状態でアウト口Ｅ１が露出するように、当接端（内側端）の一部が予め切り欠かれている。なお、遊技盤と内側演出部材３４Ａ，３４Ｂの間には球一個分以上の間隔があけられており、上方から落下してきた球がアウト口Ｅ１に回収されるようになっている。
【００３３】
外側演出部材３３Ａ，３３Ｂは図略の駆動機構によって図６に示す互いに当接した第１位置と、図７（２）に示す互いに大きく離間した第２位置との間で遊技領域Ｅの外周に沿って移動可能となっている。なお、内側演出部材３４Ａ，３４Ｂには板面に例えば図７に示すような「チャンス」の文字が記してある。
【００３４】
このような構造において、始動入賞口５に遊技球が入賞すると、液晶表示部２１で図柄変動が開始される。そして、大当り状態が近づくと外側演出部材３３Ａ，３３Ｂが互いに当接する第１位置から、やや離間した中間位置へ移動する（図７（１））。これにより外側演出部材３３Ａ，３３Ｂの背後に隠れていた内側演出部材３４Ａ，３４Ｂが前方から視認できるように露出して、その板面に記された「チャンス」の文字が遊技者の目に入る。
【００３５】
これにより遊技者が可動演出装置３に注目したところへ、液晶表示部２１の図柄が大当り状態になると、左右の外側演出部材３３Ａ，３３Ｂはさらに互いに離間する方へ移動させられて第２位置に至る（図７（２））。そして中間位置から第２位置へ外側演出部材３３Ａ，３３Ｂが移動すると内側演出部材３４Ａ，３４Ｂは図略の係止部によって外側演出部材３３Ａ，３３Ｂに引かれて移動し、両内側演出部材３４Ａ，３４Ｂが離間してその背後に隠れていた特別入賞装置６が露出し、その横長の扉６１が公知の構造によって前方へ傾倒開放させられる。これにより特別入賞装置６内への遊技球の容易な入賞が可能となる大当り状態が出現する。なお、内側演出部材３４Ａ，３４Ｂの後面には、これら演出部材３４Ａ，３４Ｂが当接した位置で扉６１に対向するように凸部３４１が形成されていて、左右の内側演出部材３４Ａ，３４Ｂが当接した状態では凸部３４１が特別入賞装置６の扉６１の前面に当接してその不慮の開放を防止している。
【００３６】
このように本実施形態においては、大当りの可能性が高くなった場合には外側演出部材３３Ａ，３３Ｂを開いて内側演出部材３４Ａ，３４Ｂを露出させることにより、遊技者の目をここに引き付け、続く大当りで内側演出部材３４Ａ，３４Ｂの移動に伴って特別入賞装置６が現れるようにしたから、遊技者の注目を自然な目線で特別入賞装置６に効果的に集めて遊技者の達成感を増大させることができる。また、通常遊技時には特別入賞装置６は内外の演出部材３３Ａ，３３Ｂ、３４Ａ，３４Ｂの背後に位置しているから、特別入賞装置６を強制開放するような不正行為を未然に防止することができる。
【００３７】
（第４実施形態）
図８に本発明の第４実施形態を示す。本実施形態では、遊技盤の遊技領域Ｅの下端部に設けられたアウト口Ｅ１に近い上方位置に、チューリップ型の特別入賞装置７が設けられている。そして、特別入賞装置７を覆うように可動演出装置３が設けられており、可動演出装置３は左右に位置する板状の演出部材３５Ａ，３５Ｂを備えている。演出部材３５Ａ，３５Ｂは図略の駆動機構によって図８（１）に示す互いに当接した第１位置と、図８（２）に示す互いに離間した第２位置との間で遊技領域Ｅの外周に沿って移動可能となっている。なお、遊技盤と演出部材３５Ａ，３５Ｂの間には球一個分以上の間隔があけられており、上方から落下してきた球がアウト口Ｅ１に回収されるようになっている。
【００３８】
このような構造において、始動入賞口５に遊技球が入賞すると、液晶表示部２１で図柄変動が開始される。そして、大当り状態が近づくと演出部材３５Ａ，３５Ｂが、互いに当接した第１位置から、やや離間しつつ互いに接近ないし離間を繰り返す振動状態となる。これにより遊技者が可動演出装置３に注目したところへ、液晶表示部２１の図柄が大当り状態になると、左右の演出部材３５Ａ，３５Ｂは離間する方向へ移動させられて第２位置に至る（図８（２））。これにより演出部材３５Ａ，３５Ｂの背後に隠れていた特別入賞装置７が露出し、そのチューリップ可動片７１が公知の構造によって開放させられて、特別入賞装置７内への遊技球の容易な入賞が可能となる大当り状態が出現する。なお、演出部材３５Ａ，３５Ｂの後面には凸部３５１が形成されていて、左右の演出部材３５Ａ，３５Ｂが当接した状態では凸部３５１が特別入賞装置７のチューリップ可動片７１の外方に位置してその不慮の開放を防止している。
【００３９】
このように本実施形態においては、大当りの可能性が高くなった場合には演出部材３５Ａ，３５Ｂを振動させて遊技者の目をここに引き付け、続く大当りで演出部材３５Ａ，３５Ｂの移動に伴って特別入賞装置７が現れるようにしたから、遊技者の注目を自然な目線で特別入賞装置７に効果的に集めて遊技者の達成感を増大させることができる。また、通常遊技時には特別入賞装置７が演出部材３５Ａ，３５Ｂの背後に位置しているから、特別入賞装置７を強制開放するような不正行為を未然に防止することができる。
【００４０】
（他の実施形態）
上記各実施形態において、特別入賞装置が一旦閉じたインターバルの間に演出部材を短い距離で正逆往復移動させて遊技者の目線を逸らせないようにしても良い。また、特別入賞装置の構成部品を分割形成して離れた位置に配置し、各部品が合体するように移動させることで特別入賞装置が形成されるという構成を採用すると、遊技者に新鮮な驚きを与えることができる。さらに、演出部材３１Ａ，３１Ｂ，３２，３３Ａ，３３Ｂ，３４Ａ，３４Ｂ，３５Ａ，３５Ｂは一部又は全部を透明部材で形成することができる。また演出部材３１Ａ，３１Ｂ，３２，３３Ａ，３３Ｂ，３４Ａ，３４Ｂ，３５Ａ，３５Ｂは第１位置にあるときに特別入賞装置６の全てを覆う必要はない。なお、本発明の可動演出装置の適用範囲はパチンコ遊技機に限られるものではない。
【符号の説明】
【００４１】
２…画像表示装置、２１…液晶表示部、３…可動演出装置、３１Ａ，３１Ｂ，３２，３３Ａ，３３Ｂ，３４Ａ，３４Ｂ，３５Ａ，３５Ｂ…演出部材、４…ステージ（案内路）、５…始動入賞装置、６，７…特別入賞装置。
【図１】
2011156144.tif 000003
【図２】
2011156144.tif 000004
【図３】
2011156144.tif 000005
【図４】
2011156144.tif 000006
【図５】
2011156144.tif 000007
【図６】
2011156144.tif 000008
【図７】
2011156144.tif 000009
【図８】
2011156144.tif 000010